(57)【特許請求の範囲】
【請求項１】
所定の表紙体内面に装着される綴じ具であって、
長片状に設けられたベースと、このベースの短寸幅方向一端側に軸部材を介して回転可能に支持された複数の綴じ足と、前記綴じ足の回転を操作可能に設けられた操作部材とを備え、
前記軸部材は、その一部にフック部を備えた形状に設けられる一方、前記ベース又は操作部材に前記フック部を引っ掛け可能な保持部が設けられ、
前記フック部と保持部とが相互に係り合った状態で綴じ込み姿勢が保たれる一方、前記操作部材を所定操作したときに前記係り合いを解除して綴じ込み姿勢が解除され、
前記軸部材は、前記綴じ足を綴じ込み姿勢としたときに、ねじり変形を伴ってフック部及び保持部が係り合い可能にベースに支持されるとともに、前記係り合いを解除したときに、前記軸部材がねじり変形に伴う弾性力によって初期形状に戻ることにより綴じ足を回転して綴じ込み姿勢が解除されることを特徴とする綴じ具。
【請求項２】
前記フック部は、前記綴じ足の綴じ込み姿勢が保たれたときに、ベースの面内に位置する屈曲形状に設けられ、この屈曲部分に前記保持部が係り合い可能に設けられていることを特徴とする請求項１記載の綴じ具。
【請求項３】
前記各綴じ足の一端側は、ベースの短寸幅方向一端側に前記軸部材を介して回転可能に連結された綴じ足保持体に支持され、
前記フック部は、綴じ足保持体に設けられた切欠部内に配置されるとともに、当該切欠部の爪状部に引っ掛け保持されていることを特徴とする請求項１又は２記載の綴じ具。
【発明の詳細な説明】
【０００１】
【発明の属する技術分野】
本発明は綴じ具に係り、更に詳しくは、簡易な操作で綴じ足を開閉することのできる綴じ具に関する。
【０００２】
【従来の技術】
従来より、ファイル、バインダー等においては、表紙の内面側に綴じ具が設けられている。この種の綴じ具としては、固定側分割綴じ足を有する細長い片状のベースと、このベースの長手方向一端側に略水平面内で回転可能に連結されるとともに、前記固定側分割綴じ足の先端に接して半円状の閉ループを形成する移動側分割綴じ足が設けられた回転部材を備えたものが知られている。このタイプの綴じ具は、前記回転部材の自由端側に設けられた引っ掛け部材をベースの端部に引っ掛けることで綴じ込み状態が確保できる一方、この引っ掛かりを解除することによって綴じ足が相互に離間可能となるものが知られている。
【０００３】
また、その他のタイプとしては、細長い片状のベースと、当該ベースの内部に配置されるとともに前記ベースの短寸幅方向両側から分割型の綴じ足がそれぞれ突出可能となる綴じ足保持体と、前記ベースの長手方向両端側に設けられて綴じ足を開放可能とする一対の操作部とを備えたものも知られている。
【０００４】
【発明が解決しようとする課題】
しかしながら、回転部材を回転させて綴じ足の開閉を行うタイプの綴じ具にあっては、前記引っ掛け部材とベースとの引っ掛かりを解除して書類の綴じ込み若しくは加除整理を行うときに、回転部材の支点側すなわち連結側における綴じ足相互の離間幅が自由端側の綴じ足離間幅よりも狭くなるため、書類のパンチング穴に対して綴じ足を挿入しずらいという不都合がある。この場合、前記回転部材をベース延出方向に対して大きく角度変化させる必要があり、この際に既に綴じ込まれている書類が綴じ足から不用意に抜け出てしまうという不都合を招来する。
【０００５】
また、前記一対の操作部材を用いて綴じ足を開放させる綴じ具にあっては、操作部分がベースの長手方向両端の二箇所に分散しているため、両手での操作が不可避となり、その操作性が必ずしも良好ではないという不都合がある他、ベース内の狭い空間内に板ばね等を配置する必要等もあり、部品点数を増大させて高価となるばかりでなく、組み立て作業を複雑にするという不都合がある。
【０００６】
【発明の目的】
本発明はこのような不都合に着目して案出されたものであり、その目的は、書類の綴じ込み若しくは加除を極めて容易に行うことができるとともに、構成部品の僅かな形状変更によって部品点数の削減を図りつつ組み立てを容易化することができ、更に、薄型タイプとした綴じ込み構造とすることも可能な綴じ具を提供することにある。
【０００７】
【課題を解決するための手段】
前記目的を達成するため、本発明は、所定の表紙体内面に装着される綴じ具であって、
長片状に設けられたベースと、このベースの短寸幅方向一端側に軸部材を介して回転可能に支持された複数の綴じ足と、前記綴じ足の回転を操作可能に設けられた操作部材とを備え、
前記軸部材は、その一部にフック部を備えた形状に設けられる一方、前記ベース又は操作部材に前記フック部を引っ掛け可能な保持部が設けられ、
前記フック部と保持部とが相互に係り合った状態で綴じ込み姿勢が保たれる一方、前記操作部材を所定操作したときに前記係り合いを解除して綴じ込み姿勢が解除され、
前記軸部材は、前記綴じ足を綴じ込み姿勢としたときに、ねじり変形を伴ってフック部及び保持部が係り合い可能にベースに支持されるとともに、前記係り合いを解除したときに、前記軸部材がねじり変形に伴う弾性力によって初期形状に戻ることにより綴じ足を回転して綴じ込み姿勢が解除される、という構成を採っている。このような構成によれば、綴じ足を開いたときに、全ての綴じ足が大きく開いた状態となって書類の加除整理を容易に行うことができる他、操作部材を僅かに移動させるだけで、フック部及び保持部の係り合いが解除可能となり、従来タイプの綴じ具に比べて操作性も良好に改善することができる。また、軸部材を用いた構成により綴じ込み姿勢を維持可能としたので、部品点数を少なくして綴じ具のコスト低減を図ることができる。コイルばね等の戻し部材を設けることなく、操作部材の操作によって自動的に綴じ足を大きく開放することができる。これにより、書類の加除整理を容易に行うことができるばかりでなく、部品点数の削減や組み立てを容易化することができ、ひいては綴じ具のコスト低減を図ることが可能となる。
【０００８】
【発明の実施の形態】
本発明におけるフック部は、前記綴じ足の綴じ込み姿勢が保たれたときに、ベースの面内に位置する屈曲形状に設けられ、この屈曲部分に前記保持部が係り合い可能に設けられる、という構成も採用されている。これによれば、綴じ具全体の構成の簡略化及びコンパクト化を図ることができる他、フック部の存在を邪魔に感じることなく綴じ込まれた書類の頁捲りを行うことが可能となる。
【０００９】
また、前記各綴じ足の一端側は、ベースの短寸幅方向一端側に前記軸部材を介して回転可能に連結された綴じ足保持体に支持され、
前記フック部は、綴じ足保持体に設けられた切欠部内に配置されるとともに、当該切欠部の爪状部に引っ掛け保持される、という構成も採用するとよい。
【００１０】
【実施例】
以下、本発明に係る綴じ具の実施例を、以下の参考例について説明した後に、図面を参照しながら説明する。
【００１１】
［参考例］
図１には参考例に係る綴じ具が適用されたファイルの要部拡大斜視図が示されている。この図において、ファイル１０は、中間に背表紙１１を介して連なる表表紙１２及び裏表紙１３を備えた表紙体１４と、裏表紙１３の綴じ込み側内面に装着された綴じ具１５とを備えて構成されている。
【００１２】
前記綴じ具１５は、図２及び図３にも示されるように、裏表紙１３の内面に固定されるベース１７と、裏表紙１３とベース１７との間に形成される隙間内に配置されるとともに、当該ベース１７の長手方向に沿って所定量移動可能に設けられた操作部材としてのスライド部材１８と、ベース１７の短寸幅方向一端側に軸部材１９を介して回転可能に連結されるとともに、複数本の綴じ足２０の一端側を支持する綴じ足保持体２２とを備えて構成されている。
【００１３】
前記ベース１７は、表紙体１４の上下方向長さよりも僅かに短い長片状に設けられているとともに、その裏面側は、図３に示されるように、下向きコ字状の隙間を形成する凹部２３を備えた形状に設けられ、これにより、当該凹部２３内に前記スライド部材１８が収容可能となっている。ベース１７において、その短寸幅方向一端側（図２中左端側）には、前記軸部材１９を介して綴じ足保持体２０を回転可能に支持するための軸受２４が所定間隔毎を隔てて一体的に形成配置されている。この一方、ベース１７の他端側（図２中右端側）には、当該ベース１７の長手方向に沿って複数の角穴２５が形成され、その内側領域に各綴じ足２０の先端側が受容可能に設けられている。ベース１７の上面には、当該ベース１７と一体成形された短寸の固定綴じ足２７が数箇所に設けられているとともに、裏表紙１３の表面側から挿通されるピン若しくはリベット部材２８の先端側を受容してベース１７を裏表紙１３に固定するピン挿通穴２９が形成されている。また、図１中手前側に示された固定綴じ足２７と綴じ足保持体２２との間におけるベース１７の端部には、コ字状の切欠きからなる開放部３１が設けられている。
【００１４】
前記スライド部材１８は、図２及び図３に示されるように、前記凹部２３内に収容可能な板厚をなす長片状に設けられている。スライド部材１８の上面には、前記開放部３１内に位置する保持部としての鈎状突起３２が設けられている。この鈎状突起３２は、軸部材１９の後述するフック部を引っ掛け可能に形成されているとともに、鈎状突起３２の上端面は、図２中右下方向に傾き且つ図３中左下方向に傾く傾斜面となるように設けられている。また、スライド部材１８の一端側には、ベース１７の長手方向端部より外側に位置する指掛け部３３が形成されている。スライド部材１８の長手方向両端近傍には、ピン２８を貫通する長楕円形状の穴３４（図１参照）が形成され、これにより、スライド部材１８が穴３４の長軸方向に沿ってベース１７内で移動可能となっている。なお、ここでは図示省略しているが、ベース１７とスライド部材１８との間には、前記指掛け部３３を常にベース１７の端部に接触する方向に付勢する戻しばねが設けられている。なお、前記鈎状突起３２の上端面は、綴じ足保持体２２側が低くなる傾斜面とされ、且つ、図２中左右方向の幅は前記指掛け部３３側が小さくなるように設けられている。
【００１５】
前記軸部材１９は、特に限定されるものでないが、一本の金属線により構成されるとともに、当該金属線を部分的に折り曲げて形成されたフック部３６を備えている。このフック部３６は、図２に示されるように、綴じ足２０が綴じ込み姿勢に保たれたときに、ベース１７の面内すなわち開放部３１内に位置して鈎状突起３２に引っ掛かる平面視略コ字状の屈曲形状に設けられるとともに、図３中右側部分（コ字状の中間領域）を裏表紙１３側に若干屈曲した形状に形成されている。また、フック部３６は、綴じ足保持体２２に設けられた切欠部３７内に配置されるとともに、当該切欠部３７の爪状部３８に引っ掛け保持され、これにより、軸部材１９が綴じ足保持体２２の回転に伴って回転するようになっている。なお、フック部３６及び鈎状突起３２の形成数及び形成位置は、図示構成例に限定されるものでなく、ベース１７の中央一箇所又は長手方向両側二箇所に設ける等必要に応じて適宜設計変更することができる。
【００１６】
前記各綴じ足２０は、図３に示された位置において、綴じ足保持体２２の上面側から延びるとともに、ベース１７との間に閉ループを形成可能に設けられている。これら綴じ足２０のうち、所定間隔毎に設けられた複数本の綴じ足４０は、図１に示されるように、先端側が相互に突き合う分割形状にそれぞれ設けられ、前記固定綴じ足２７と、この固定綴じ足２７の先端斜面に対応した先端面を有するとともに、綴じ足保持体２２に支持された移動綴じ足４１との対をなす。また、前記移動綴じ足４１を除く他の綴じ足４２は、前記角穴２５内を終端とする長さに設けられている。
【００１７】
前記綴じ足保持体２２は、ベース１７の長手方向に沿って延びるとともに、各綴じ足２０を保持する基片４４と、この基片４４に連なってベース１７の各軸受２４間に位置するとともに、軸部材１９を介して相対回転可能に設けられた軸受４５とを備えて構成されている。綴じ足保持体２２は、図１に示されるように、軸部材１９に装着されたコイルばね４７を介して常時は開放する方向に付勢されるようになっている。
【００１８】
以上の構成において、参考例に係る綴じ具１５は、図２及び図３に示されるように、綴じ込み姿勢に保たれた状態で、フック部３６が鈎状突起３２に引っ掛かるとともに、綴じ足４２の先端が角穴２５内に位置し、また、固定綴じ足２７と移動綴じ足４１とが相互に突き合されてそれぞれ閉ループを形成する。
【００１９】
ここで、綴じ込み姿勢を解除すべく前述の閉ループを開放する場合には、前記スライド部材１８の指掛け部３３を外側（図２中下側）に引き出せばよい。これにより、鈎状突起３２の図２中左端がフック部３６の外周に接触して次第に右側に倒伏し、所定量引き出すことによってこれらの引っ掛け状態が強制的に解除されることとなる。これと同時に、綴じ足保持体２２は、前述のコイルばね４７の作用によって閉ループを解除する方向に回転することとなる。
【００２０】
この一方、再び閉ループを形成する場合には、綴じ足２０を持って回転させ、綴じ足４２を角穴２５内に位置するように上方より押し込めばよく、これにより、フック部３６と鈎状突起３２とが係り合って前記閉ループが維持されることとなる。
【００２１】
従って、このような参考例の構成によれば、指掛け部３３の引き出し操作のみによって閉ループの開放が可能となる一方、綴じ足２０を手で押し込み操作するだけで綴じ込み位置に設定可能となるから、書類の綴じ込み若しくは加除整理を極めて簡易且つ迅速に行えるという効果を得る。また、綴じ足４２の先端が角穴２５に位置するだけで閉ループを維持できるので、綴じ足の先端形状が複雑な形状となったり、厳密な寸法精度を要求されることもない。
【００２２】
［実施例］
次に、本発明の実施例を図４を参照しながら説明する。なお、以下の説明において、前記参考例と同一若しくは同等の構成部分については必要に応じて同一符号を用いるものとし、説明を省略若しくは簡略にする。
【００２３】
実施例は、コイルばね４７を設けることなく軸部材１９をねじり変形可能に設け、そのねじり変形に伴う弾性力により当該コイルばね４７と同等の作用を確保したところに特徴を有するものである。すなわち、軸部材１９の端部領域は、図４に示されるように、略直角に折り曲げ加工されて端部側軸受２４Ａ内で回転不能に支持されている。これにより、図示された状態から綴じ込み姿勢とする場合、軸部材１９のねじり変形を伴ってフック部３６及び鈎状突起３２が引っ掛かる一方、これらの引っ掛かりを解除したときに、軸部材１９が初期形状に戻ることにより綴じ足保持体２２が閉ループを解除する方向に回転するようになっている。なお、軸部材１９の端部領域は、折り曲げ加工することなく略直線状とし、端部側軸受２４Ａ内で回転しないように固定してもよい。
【００２４】
従って、このような実施例の構成によれば、参考例と比較して、更に部品点数を減らすことができ、ひいては、綴じ具１５の組み立ての容易化やコストダウンを図ることが可能となる。
【００２５】
なお、前記実施例における保持部及びフック部３６は、図示構成例に限定されるものでなく、種々の設計変更が可能である。例えば、ベース１７の開放部３１に鈎状突起３２を設け、この鈎状突起３２とフック部３６との係り合いを解除可能な突起等をスライド部材１８に設けたり、鈎状突起３２に代えて穴等により保持部を構成し、フック部３６を前記穴に係り合うような屈曲形状とする構成してもよい。要するに、保持部及びフック部３６は、相互に係り合った状態で綴じ込み姿勢を維持し、スライド部材１８を操作したときに前記係り合いを解除可能に設けられていれば足りる。
【００２６】
また、スライド部材１８は手前側に引き出すことによって前記係り合いを解除可能としたが、前述した引っ張りばねの方向を逆向きとし、押し込むことによって係り合いを解除可能とする構成であってもよい。
【００２７】
【発明の効果】
以上説明したように、本発明は、軸部材の一部をフック部として形成し、このフック部に引っ掛け可能な保持部を設けたから、操作部材を僅かに移動させるだけでフック部及び保持部の係り合いが解除可能となり、従来の綴じ具における操作性の不便さを改善することができる。また、部品点数を少なくすることができるため、綴じ具の製造コストが低減するという効果を得る。
【００２８】
また、綴じ足を綴じ込み姿勢としたときに、フック部がベースの面内に位置する構成としたから、綴じ具を薄型化することができるばかりでなく、フック部の存在を気にすることなく書類の頁捲りを行うことができる。
【００２９】
更に、軸部材をねじり変形可能とするとともに、初期形状に戻ることにより綴じ足を回転可能とした場合には、綴じ具の操作性を優れたものとすることができるばかりでなく、綴じ具全体の構成を簡略化することが可能となる。
【図面の簡単な説明】
【図１】  参考例に係る綴じ具が適用されたファイルの要部概略斜視図。
【図２】  前記綴じ具の平面図。
【図３】  図２のＡ−Ａ線に沿う断面図。
【図４】  実施例に係る綴じ具の図１と同様の斜視図。
【符号の説明】
１４  表紙体
１５  綴じ具
１７  ベース
１８  スライド部材（操作部材）
１９  軸部材
２０  綴じ足
３２  鈎状部材（保持部）
３６  フック部
【図１】
0003684425.tif 000002
【図２】
0003684425.tif 000003
【図３】
0003684425.tif 000004
【図４】
0003684425.tif 000005